(57)【要約】【課題】切断しようとする線材を一旦引っ掛け、目視確認しやすくすることで、切断しようとする線材を明確に選択し、目的以外の線材は剪断刃部に近づかないようにして目的以外の線材の誤切断を防止する。【解決手段】各剪断刃部２ａ，２ｂを拡開した位置から閉じた位置まで互いに向かって動作させたとき両剪断刃部２ａ，２ｂが互いに協働して切断するように、両剪断刃部２ａ，２ｂが互いに向き合った状態に第１と第２切断工具半部５，６とを支点部４ａ，４ｂで回動自在に連結する連結軸７と、剪断刃部２ａ，２ｂの各先端にそれぞれ設けた、線材ｗを引き寄せる引寄せ部８ａ，８ｂとを備えた。【選択図】図１
2012200352.tif 000002
【特許請求の範囲】
【請求項１】
電線、ケーブル等の複数本の線材（ｗ）の中から特定の線材（ｗ）を切断する際に、その切断しようとうする線材（ｗ）のみを引き寄せて誤切断を防止する線材の引き寄せ機能を有する切断工具であって、
剪断刃部（２ａ）とハンドル部（３ａ）と、その中間に位置する支点部（４ａ）から成る第１切断工具半部（５）と、
剪断刃部（２ｂ）とハンドル部（３ｂ）と、その中間に位置する支点部（４ｂ）から成る第２切断工具半部（６）と、
各剪断刃部（２ａ，２ｂ）を拡開した位置から閉じた位置まで互いに向かって動作させたとき両剪断刃部（２ａ，２ｂ）が互いに協働して切断するように、両剪断刃部（２ａ，２ｂ）が互いに向き合った状態に前記第１切断工具半部（５）と第２切断工具半部（６）とを支点部（４ａ，４ｂ）で回動自在に連結する連結軸（７）と、
前記剪断刃部（２ａ，２ｂ）の各先端にそれぞれ設けた、線材（ｗ）を引き寄せる引寄せ部（８ａ，８ｂ）と、を備えた、ことを特徴とする線材の引き寄せ機能を有する切断工具。
【請求項２】
前記引寄せ部（８ａ，８ｂ）は、前記剪断刃部（２ａ，２ｂ）の刃部の延長線（ＥＬ）上より、両剪断刃部（２ａ，２ｂ）が切断する方向側へ曲げられた、ことを特徴とする請求項１の線材の引き寄せ機能を有する切断工具。
【請求項３】
前記引寄せ部（８ａ，８ｂ）は、湾曲形状した部材である、ことを特徴とする請求項１又は２の線材の引き寄せ機能を有する切断工具。
【請求項４】
前記引寄せ部は湾曲形状した部材であり、一方の引寄せ部が長く、他方の引寄せ部がこれより短いものである、ことを特徴とする請求項１又は２の線材の引き寄せ機能を有する切断工具。
【請求項５】
前記引寄せ部（８ａ，８ｂ）は、針金状部材を前記剪断刃部（２ａ，２ｂ）の側面に取り付けた、ことを特徴とする請求項１、２、３又は４の線材の引き寄せ機能を有する切断工具。
【請求項６】
前記引寄せ部（８ａ，８ｂ）は、前記針金状部材に色彩の異なるチューブ状の着色チューブ状部材（１２）を交換自在に装着した、ことを特徴とする請求項５の線材の引き寄せ機能を有する切断工具。
【発明の詳細な説明】
【技術分野】
【０００１】
本発明は、複数本の電線、ケーブル等の線材の中から特定の線材を切断する際に、その切断しようとうする線材のみを引き寄せて誤切断を防止することができる線材の引き寄せ機能を有する切断工具に関する。
【背景技術】
【０００２】
リレー盤やＴＣ等の端子台・通信ＩＤＦ（通信中間配線盤）などの狭い場所・混雑な場所での配線作業時に、ニッパ、その他の切断工具により通信線・ケーブル・それらを束ねるインシュロック等の結束バンドを切断している。このとき、端子台や通信ＩＤＦには非常に多くのケーブル類があり、更にその場所が狭いため、ニッパ等の刃が切断対象のみに接しているかどうかを確認することが困難なことがある。切断対象と切断対象外の目視確認が困難なことが多い。そのために、対象外を誤切断することがあった。このように対象とする通信線・ケーブル又はインシュロックを過って切断することは、その運用に支障をきたすことがある。
【０００３】
このような対象外の電線、ケーブル、インシュロック等の誤切断を防止するための技術に関しては種々提案されている。例えば特許文献１の特開平６−２６１９８５号公報「誤切断防止はさみ」に示すように、電線を切断する際に、剪断刃が電線の導体に触れた時、瞬時に電線の導体が切断されることを防止すると共に、電線の通電状態を検出すると勢断刃が電線を切断しないように係止されることにより、通電状態にある電線を誤って切断することから防止する誤切断防止はさみが提案されている。
【先行技術文献】
【特許文献】
【０００４】
【特許文献１】特開平６−２６１９８５号公報
【発明の概要】
【発明が解決しようとする課題】
【０００５】
しかし、特許文献１の「誤切断防止はさみ」では、作業対象外のケーブル等が無電圧の場合、検出部が作動しないので誤切断しやすいという問題は有していた。例えばリレーやＴＣではそのリスクが非常に高いものであった。これは切断部分が作業対象外に接していることが多く、目視確認が困難だからである。
【０００６】
また、特許文献１の「誤切断防止はさみ」は、切断部分に多数の検知部など多数の部材が備えられているので、切断部分が大きいため、狭い場所や混雑な場所では使用できないという問題は有していた。しかも、構造が複雑であるために、製造コストが高くなりやすかった。
【０００７】
本発明は、かかる問題点を解決するために創案されたものである。すなわち、本発明の目的は、切断しようとする線材を一旦引っ掛け、目視で確認しやすくすることで、切断しようとする線材を明確に選択し、目的以外の線材は剪断刃部に近づかないようにして線材の誤切断を防止することができる線材の引き寄せ機能を有する切断工具を提供することにある。
【課題を解決するための手段】
【０００８】
本発明は、電線、ケーブル等の複数本の線材（ｗ）の中から特定の線材（ｗ）を切断する際に、その切断しようとうする線材（ｗ）のみを引き寄せて誤切断を防止する線材の引き寄せ機能を有する切断工具であって、剪断刃部（２ａ）とハンドル部（３ａ）と、その中間に位置する支点部（４ａ）から成る第１切断工具半部（５）と、剪断刃部（２ｂ）とハンドル部（３ｂ）と、その中間に位置する支点部（４ｂ）から成る第２切断工具半部（６）と、各剪断刃部（２ａ，２ｂ）を拡開した位置から閉じた位置まで互いに向かって動作させたとき両剪断刃部（２ａ，２ｂ）が互いに協働して切断するように、両剪断刃部（２ａ，２ｂ）が互いに向き合った状態に前記第１切断工具半部（５）と第２切断工具半部（６）とを支点部（４ａ，４ｂ）で回動自在に連結する連結軸（７）と、前記剪断刃部（２ａ，２ｂ）の各先端にそれぞれ設けた、線材（ｗ）を引き寄せる引寄せ部（８ａ，８ｂ）と、を備えたことを特徴とする。
【０００９】
例えば、前記引寄せ部（８ａ，８ｂ）は、前記剪断刃部（２ａ，２ｂ）の刃部の延長線（ＥＬ）上より、両剪断刃部（２ａ，２ｂ）が切断する方向側へ曲げられたものである。
前記引寄せ部（８ａ，８ｂ）は、湾曲形状した部材が好ましい。
【００１０】
前記引寄せ部は湾曲形状した部材であり、一方の引寄せ部が長く、他方の引寄せ部がこれより短いものにすることができる。
前記引寄せ部（８ａ，８ｂ）は、針金状部材を前記剪断刃部（２ａ，２ｂ）の側面に取り付けたものである。
前記引寄せ部（８ａ，８ｂ）は、前記針金状部材に色彩の異なるチューブ状の着色チューブ状部材（１２）を交換自在に装着することができる。
【発明の効果】
【００１１】
上記構成の発明では、剪断刃部（２ａ，２ｂ）の先端に引寄せ部（８ａ，８ｂ）を設けたので、複数本の線材（ｗ）の中から１本のみをこの引寄せ部（８ａ，８ｂ）に引っ掛け、そのまま引き寄せ、その後剪断刃部（２ａ，２ｂ）で切断することできる。これらの引寄せ部（８ａ，８ｂ）は、剪断刃部（２ａ，２ｂ）の各先端に設けられているので、両剪断刃部（２ａ，２ｂ）が交差すると同時に引寄せ部（８ａ，８ｂ）が線材（ｗ）をその両剪断刃部（２ａ，２ｂ）側へ移動させることができ、そのまま両剪断刃部（２ａ，２ｂ）で切断することができる。このように切断作業に際して、切断しようとする線材（ｗ）を一旦引寄せ部（８ａ，８ｂ）に引っ掛ける動作が入るために、切断までの間に作業対象のみを引寄せていることを目視確認できる。そこで、目的以外の線材（ｗ）を誤切断することを防止することができる。この引寄せ部（８ａ，８ｂ）は刃でないため、作業対象の線材（ｗ）や対象外の線材（ｗ）を傷つけるおそれがない。
そこで、切断作業における設備・業務の信頼度・安全性の向上を図ることができる。
更に、工事施工の容易性の向上と共に、作業安全上の向上にも寄与することが可能になる。切断工具の構造がシンプルなため、低コストかつ容易に製作可能である。
【００１２】
また、引寄せ部（８ａ，８ｂ）は、針金状部材に色彩の異なるチューブ状の着色チューブ状部材（１２）を交換自在に装着することにより、電線、ケーブル等の線材（ｗ）の色彩とは異なる着色をした着色チューブ状部材（１２）を用いれば、その色彩の相違により複数本の線材（ｗ）の中から所望の線材（ｗ）を容易に選択することができる。
【図面の簡単な説明】
【００１３】
【図１】実施例１の線材の引き寄せ機能を有する切断工具を示す正面図であり、（ａ）は剪断刃部を拡開した状態、（ｂ）は剪断刃部を閉じた状態である。
【図２】実施例１の線材の引き寄せ機能を有する切断工具の動作状態を示す部分正面図であり、（ａ）は線材を引寄せ部で引っ掛ける状態、（ｂ）は線材を引寄せ部で剪断刃部に引き寄せる状態、（ｃ）は線材が剪断刃部側に引き寄せられた状態、（ｄ）は線材を剪断刃部で切断する状態である。
【図３】実施例２の非対称の引寄せ部を備えた切断工具を示す正面図であり、（ａ）は各剪断刃部を拡開した状態、（ｂ）は各剪断刃部を閉じた状態である。
【図４】実施例３の着色チューブ状部材を装着した線材の引き寄せ機能を有する切断工具を示す一部省略した斜視図である。
【図５】実施例３の着色チューブ状部材を装着した線材の引き寄せ機能を有する切断工具を示す一部省略した斜視図である。
【発明を実施するための形態】
【００１４】
本発明は、電線、ケーブル等の複数本の線材の中から特定の線材を切断する際に、その切断しようとうする作業線材のみを引き寄せて誤切断を防止することができる線材の引き寄せ機能を有する切断工具である。
【実施例１】
【００１５】
以下、本発明の実施の形態を図面を参照して説明する。
図１は実施例１の線材の引き寄せ機能を有する切断工具を示す正面図であり、（ａ）は剪断刃部を拡開した状態、（ｂ）は剪断刃部を閉じた状態である。
実施例１の切断工具１は、剪断刃部２ａとハンドル部３ａと、その中間に位置する支点部４ａから成る第１切断工具半部５と、同様な形状の剪断刃部２ｂとハンドル部３ｂと、その中間に位置する支点部４ｂから成る第２切断工具半部６とを連結軸７で回動自在に連結した切断工具である。この連結軸７部分が支点となり、各剪断刃部２ａ，２ｂを拡開した位置から閉じた位置まで互いに向かって動作させたとき両剪断刃部２ａ，２ｂが互いに協働して電線、ケーブル線、インシュロック等の線材ｗを切断する。即ち、剪断刃部２ａ，２ｂは、それぞれ１側に刃部が形成され、支点となる連結軸７部分で２つの剪断刃部２ａ，２ｂが所定の角度範囲で回動する。これら２枚の剪断刃部２ａ，２ｂが交差する位置で、その間に挟んだ線材ｗを切断することができる。
【００１６】
ハンドル部３ａ，３ｂは、これらの剪断刃部２ａ，２ｂを回転するように作用させる部分であり、手指で握る部分である。ハンドル部３ａ，３ｂは、強い力で握れるように横断面形状が丸みを有するものが好ましい。更に、その周囲に難質性の合成樹脂材で被覆したものが好ましい。
【００１７】
本発明の切断工具１は、線材ｗを引き寄せる引寄せ部８ａ，８ｂを剪断刃部２ａ，２ｂの各先端に設けた。例えばステンレス製の金属で製造されている切断工具１には、この剪断刃部２ａ，２ｂの側面に、ピアノ線のような針金状部材の引寄せ部８ａ，８ｂを接着剤又は溶接等で取り付ける。あるいは、他の手段により剪断刃部２ａ，２ｂの各先端に引寄せ部８ａ，８ｂを設けることができる。
【００１８】
剪断刃部２ａ，２ｂは金属で製造されるものが多いが、引寄せ部８ａ，８ｂは線材ｗを剪断刃部２ａ，２ｂ側に引き寄せる機能を奏するものである。針金状部材に限定されず、合成樹脂製部材を用いることも可能である。なお、切断工具１に後付けする構成のものでもよい（図示していない）。
【００１９】
これらの引寄せ部８ａ，８ｂは、図１（a）に示すように、剪断刃部２ａ，２ｂの刃部の延長線ＥＬ上より両剪断刃部２ａ，２ｂが切断する方向側へ曲げられた部材である。例えば、部材を湾曲形状に形成することが好ましい。但し、後述するように線材ｗを両剪断刃部２ａ，２ｂ側へ引き寄せる作用を奏する形状であれば、湾曲形状（円弧形状）に限定されず、直線状又は折れ線形状にしたものでもよい（図示していない）。
【００２０】
これらの引寄せ部８ａ，８ｂはこの引寄せ部８ａ，８ｂにより、電線、ケーブル等の複数本の線材ｗの中から特定の線材ｗを切断する際に、その切断しようとうする線材ｗのみを引き寄せて誤切断を防止することができる。
【００２１】
図２は実施例１の線材の引き寄せ機能を有する切断工具の動作状態を示す部分正面図であり、（ａ）は線材を引寄せ部で引っ掛ける状態、（ｂ）は線材を引寄せ部で剪断刃部に引き寄せる状態、（ｃ）は線材が剪断刃部側に引き寄せられた状態、（ｄ）は線材を剪断刃部で切断する状態である。
本発明の切断工具１は、剪断刃部２ａ，２ｂの各先端に引寄せ部８ａ，８ｂをそれぞれ設けたので、図２（ａ）に示すように、複数本の線材ｗの中から１本のみをこの引寄せ部８ａ，８ｂに引っ掛ける。この動作により複数本ある線材ｗの中から切断しようとうする線材ｗのみを引き寄せることができる。
【００２２】
次に、その引き寄せた線材ｗが該当する線材ｗであると確認したときは、図２（ｂ）に示すように、そのままハンドル部３ａ，３ｂを握り締めていくと、交差していく引寄せ部８ａ，８ｂにより、線材ｗは剪断刃部２ａ，２ｂ側へ移動する。更に、ハンドル部３ａ，３ｂを握り締めていくと、線材ｗは図２（ｃ）に示すように、剪断刃部２ａ，２ｂに到達し、剪断刃部２ａ，２ｂで徐々に切断される。
【００２３】
最後に、図２（ｄ）に示すように、そのまま両剪断刃部２ａ，２ｂで切断することができる。このように切断作業に際して、切断しようとする線材ｗを一旦引寄せ部８ａ，８ｂに引っ掛ける動作が入るので、目的以外の線材ｗを誤切断することを防止することができる。
【実施例２】
【００２４】
図３は実施例２の非対称の引寄せ部を備えた切断工具を示す正面図であり、（ａ）は各剪断刃部を拡開した状態、（ｂ）は各剪断刃部を閉じた状態である。
実施例２の切断工具２１は、引寄せ部１１ａ，１１ｂは湾曲形状にした部材であるが、一方の引寄せ部１１ａが長く、他方の引寄せ部１１ｂがこれより短いものである。上述した引寄せ部８ａ，８ｂは、複数本の線材ｗの中から１本のみを引っ掛けることができればよい部材である。そこで、この引寄せ部１１ａ，１１ｂの形状は、図１と図２に示したように、常に線対称的に同大同形状に限定されない。図３に示すように非対称的な形状に構成したものでもよい。但し、非対称的な形状であっても、交差していく引寄せ部１１ａ，１１ｂにより、線材ｗを剪断刃部２ａ，２ｂ側へ移動させる機能は必要である。
【実施例３】
【００２５】
図４は実施例３の着色チューブ状部材を装着した線材の引き寄せ機能を有する切断工具を示す一部省略した斜視図である。図５は実施例３の着色チューブ状部材を装着した線材の引き寄せ機能を有する切断工具を示す一部省略した斜視図である。
実施例３の切断工具１は、引寄せ部８ａ，８ｂの針金状部材に色彩の異なるチューブ状の着色チューブ状部材１２を交換自在に装着したものである。このように、引寄せ部８ａ，８ｂの針金状部材に、電線、ケーブル等の線材ｗの色彩の異なるチューブ状の着色チューブ状部材１２を交換自在に装着することにより、その色彩の相違により複数本の線材ｗの中から所望の線材ｗを容易に選択することができる。
【００２６】
例えば、線材ｗが暗色系の場合には、図４に示すように引寄せ部８ａ，８ｂに明色系の着色チューブ状部材１２を用いる。このようにすると引寄せ部８ａ，８ｂの位置を確認しやすくなり、作業を迅速に実施することができる。逆に、線材ｗが明色系の場合には、図５に示すように暗色系の着色チューブ状部材１２を用いる。
【００２７】
なお、本発明は、切断しようとする線材ｗを引寄せ部８ａ，８ｂに一旦引っ掛け、目視で確認しやすくすることで、切断しようとする線材ｗを明確に選択し、目的以外の線材ｗは剪断刃部２ａ，２ｂに近づかないようにして線材ｗの誤切断を防止することができれば、上述した発明の実施の形態に限定されず、本発明の要旨を逸脱しない範囲で種々変更できることは勿論である。
【産業上の利用可能性】
【００２８】
本発明の線材の引き寄せ機能を有する切断工具は、電線、ケーブル線、インシュロックに限定されず、その他の種々の線材の切断作業に利用することができる。
【符号の説明】
【００２９】
１，２１  切断工具
２ａ，２ｂ  剪断刃部
３ａ，３ｂ  ハンドル部
４ａ，４ｂ  支点部
５  第１切断工具半部
６  第２切断工具半部
７  連結軸
８ａ，８ｂ  引寄せ部
１２  着色チューブ状部材
ｗ  線材
ＥＬ  剪断刃部の延長線
【図１】
2012200352.tif 000003
【図２】
2012200352.tif 000004
【図３】
2012200352.tif 000005
【図４】
2012200352.tif 000006
【図５】
2012200352.tif 000007